(57)【特許請求の範囲】
【請求項１】
バックライト光源と、
前記バックライト光源の上層に位置するアレイ基板と、
前記アレイ基板の上層に位置する感光素子アレイと、
前記感光素子アレイに接続されている制御回路と、を有し、
前記アレイ基板の上層は液晶層を含み、
前記感光素子アレイは前記アレイ基板と前記液晶層との間に位置することを特徴とする液晶ディスプレイ（ＬＣＤ）パネル。
【請求項２】
バックライト光源と、
前記バックライト光源の上層に位置するアレイ基板と、
前記アレイ基板の上層に位置する感光素子アレイと、
前記感光素子アレイに接続されている制御回路と、を有し、
前記アレイ基板の上層は液晶層を含み、前記液晶層の上層はカラーフィルタ層を含み、前記カラーフィルタ層の上層は上偏光板を含み、
前記感光素子アレイは前記カラーフィルタ層と前記上偏光板との間に位置することを特徴とするＬＣＤパネル。
【請求項３】
前記アレイ基板は、ｍ×ｎ個のピクセル単位を含み、それぞれの前記ピクセル単位はＫ個のサブピクセル単位を含み、
前記感光素子アレイは、ａ×ｂ個の感光素子を含み、それぞれの前記感光素子は一つの前記サブピクセル単位に対応し、
ａ≦Ｋ×ｍで、ｂ≦ｎであることを特徴とする請求項１、又は２に記載のＬＣＤパネル。
【請求項４】
前記サブピクセル単位は透明電極エリア及び薄膜トランジスタＴＦＴエリアを含み、
少なくとも一つの前記感光素子は、それに対応する前記サブピクセル単位の前記ＴＦＴエリアの上方に位置することを特徴とする請求項３に記載のＬＣＤパネル。
【請求項５】
前記制御回路は、ａ列のデータ線及びｂ行の制御線を含み、
それぞれの前記制御線はａ個のスイッチを通じてａ列の前記データ線に接続され、それぞれの前記スイッチの制御端は前記制御線に接続され、それぞれの前記スイッチの第１接続端は対応する前記感光素子に接続され、それぞれの前記スイッチの第２接続端は対応する前記データ線に接続されることを特徴とする請求項３に記載のＬＣＤパネル。
【請求項６】
前記アレイ基板はＫ×ｍ列のピクセルデータ線及びｎ行のピクセル制御線を含み、
各列の前記データ線は一列の前記ピクセルデータ線に対応し、各列の前記データ線は対応する前記ピクセルデータ線の上方に位置し、
各行の前記制御線は一行の前記ピクセル制御線に対応し、各行の前記制御線は対応する前記ピクセル制御線の上方に位置することを特徴とする請求項５に記載のＬＣＤパネル。
【請求項７】
更に、それぞれの前記感光素子の感光側にはレンズが配置されることを特徴とする請求項３に記載のＬＣＤパネル。
【請求項８】
更に、前記感光素子アレイの感光側にはレンズが配置されることを特徴とする請求項３に記載のＬＣＤパネル。
【請求項９】
請求項１乃至請求項８のいずれか１項に記載のＬＣＤパネルを備えることを特徴とする端末。
【請求項１０】
前記ＬＣＤパネルは、請求項５又は請求項６に記載のＬＣＤパネルであり、
前記端末は更に感光制御ユニットを備え、前記感光制御ユニットは前記データ線に接続され、前記感光制御ユニットは前記制御線とも接続されることを特徴とする請求項９に記載の端末。
【請求項１１】
感光制御ユニットに適用される感光制御方法であって、
前記感光制御ユニットは、請求項５又は請求項６に記載のＬＣＤパネルに接続され、前記方法は、
ｉ行目の前記制御線に、前記データ線とターンオンするようにｉ行目の前記感光素子を制御するためのイネーブル信号を送信するステップと、
前記ｉがｂより小さい場合、ｉ＝ｉ＋１にさせ、ｉ行目の前記制御線にイネーブル信号を送信するステップを再び実行するステップと、
前記ｉがｂに等しい場合は、ｉ＝１にさせ、ｉ行目の前記制御線にイネーブル信号を送信するステップを再び実行するステップとを含むことを特徴とする感光制御方法。
【請求項１２】
プロセッサに実行されることにより、請求項１１に記載の感光制御方法を実現する記録媒体に記録されたプログラム。
【請求項１３】
請求項１２に記載のプログラムが記録された記録媒体。
【発明の詳細な説明】
【技術分野】
【０００１】
本発明は液晶ディスプレイ分野に関し、特にＬＣＤ（Ｌｉｑｕｉｄ  Ｃｒｙｓｔａｌ  Ｄｉｓｐｌａｙ、液晶ディスプレイ）パネル、端末、感光制御方法、プログラム及び記録媒体に関する。
【背景技術】
【０００２】
カメラは移動端末に備えられる一般的な基礎部材である。カメラは画像の収集のために使われる。移動端末における配置位置によって、カメラはフロントカメラ（Ｆｒｏｎｔ  ｃａｍｅｒａ）とリアカメラ（Ｒｅａｒ  ｃａｍｅｒａ）に分けることができる。
【０００３】
フロントカメラを例として、移動端末の正面パネルはＬＣＤエリア及びフレームエリアを含み、関連技術においては、フレームエリアに小孔を開設し、フロントカメラを該小孔の中に配置しておく。
【発明の概要】
【０００４】
本発明は、カメラのために単独で小孔を開設すべく問題点を解決するために、ＬＣＤパネル、端末、感光制御方法、プログラム及び記録媒体を提供する。前記技術案は以下の通りである。
【０００５】
本発明の実施例の第１の態様によれば、
バックライト光源と、
前記バックライト光源の上層に位置するアレイ基板と、
前記アレイ基板の上層に位置する感光素子アレイと、
前記感光素子アレイに接続されている制御回路とを有する液晶ディスプレイのＬＣＤパネルを提供する。
【０００６】
好ましくは、前記アレイ基板は、ｍ×ｎ個のピクセル単位を含み、それぞれの前記ピクセル単位はＫ個のサブピクセル単位を含み、
前記感光素子アレイは、ａ×ｂ個の感光素子を含み、それぞれの前記感光素子は一つの前記サブピクセル単位に対応し、
ａ≦Ｋ×ｍで、ｂ≦ｎである。
【０００７】
好ましくは、前記サブピクセル単位は透明電極エリア及び薄膜トランジスタＴＦＴエリアを含み、
少なくとも一つの前記感光素子は、それに対応する前記サブピクセル単位の前記ＴＦＴエリアの上方に位置する。
【０００８】
好ましくは、前記制御回路は、ａ列のデータ線及びｂ行の制御線を含み、
それぞれの前記制御線はａ個のスイッチを通じてａ列の前記データ線に接続され、それぞれの前記スイッチの制御端は前記制御線に接続され、それぞれの前記スイッチの第１接続端は対応する前記感光素子に接続され、それぞれの前記スイッチの第２接続端は対応する前記データ線に接続される。
【０００９】
好ましくは、前記アレイ基板はＫ×ｍ列のピクセルデータ線及びｎ行のピクセル制御線を含み、
各列の前記データ線は一列の前記ピクセルデータ線に対応し、各列の前記データ線は対応する前記ピクセルデータ線の上方に位置し、
各行の前記制御線は一行の前記ピクセル制御線に対応し、各行の前記制御線は対応する前記ピクセル制御線の上方に位置する。
【００１０】
好ましくは、更に、それぞれの前記感光素子の感光側にはレンズが配置される。
【００１１】
好ましくは、更に、前記感光素子アレイの感光側にはレンズが配置される。
【００１２】
好ましくは、更に、前記アレイ基板の上層は液晶層を含み、
前記感光素子アレイは前記アレイ基板と前記液晶層との間に位置する。
【００１３】
好ましくは、更に、前記アレイ基板の上層は液晶層を含み、前記液晶層の上層はカラーフィルタ層を含み、
前記感光素子アレイは前記液晶層と前記カラーフィルタ層との間に位置する。
【００１４】
好ましくは、更に、前記アレイ基板の上層は液晶層を含み、前記液晶層の上層はカラーフィルタ層を含み、前記カラーフィルタ層の上層は上偏光板を含み、
前記感光素子アレイは前記カラーフィルタ層と前記上偏光板との間に位置する。 
本発明の実施例の第２の態様によれば、本発明の実施例の第１の態様において提供されるＬＣＤパネルを備える端末を提供し、前記端末は更に感光制御ユニットを備え、前記感光制御ユニットは前記データ線に接続され、前記感光制御ユニットは前記制御線とも接続される。
【００１５】
本発明の実施例の第３の態様によれば、感光制御ユニットに適用される感光制御方法を提供し、
前記感光制御ユニットは、請求項４又は請求項５に記載のＬＣＤパネルに接続され、前記方法は、
ｉ行目の前記制御線に、前記データ線とターンオンするようにｉ行目の前記感光素子を制御するための前記イネーブル信号を送信するステップと、
前記ｉがｂより小さい場合、ｉ＝ｉ＋１にさせ、ｉ行目の前記制御線にイネーブル信号を送信するステップを再び実行するステップと、
前記ｉがｂに等しい場合は、ｉ＝１にさせ、ｉ行目の前記制御線にイネーブル信号を送信するステップを再び実行するステップとを含む。
【００１６】
本発明の実施例の第４の態様によれば、プロセッサに実行されることにより、前記感光制御方法を実現する記録媒体に記録されたプログラムを提供する。
【００１７】
本発明の実施例の第５の態様によれば、前記プログラムが記録された記録媒体を提供する。
【００１８】
本発明の実施例が提供する技術案は下記のような有益な効果を含むことができる。
【００１９】
感光素子アレイをＬＣＤパネルのアレイ基板の上層に配置することで、一般的に端末のフロントパネルを複数のエリアに区画すべく問題を解決し、カメラ機能をＬＣＤパネルに集積して、端末のフロントパネルにＬＣＤパネルのみ配置することで、液晶表示機能とカメラ機能を同時に有し、端末のフロントパネルの全体の一致性と全体の美感を向上させる効果を奏している。
【００２０】
また、上記の一般的な説明及び以下の詳細な説明は単なる例示及び解釈に過ぎず、本発明を限定するものではないことを理解すべきである。
【図面の簡単な説明】
【００２１】
本願の図面は明細書に取り込まれて明細書の一部を構成し、本発明に合致する実施例を示し、また、明細書と共に本発明の原理の解釈に用いられる。
【図１】図１は背景技術にかかるＬＣＤパネルの模式図である。
【図２】図２はアレイ基板のピクセル単位の一つの配列形態の模式図である。
【図３Ａ】図３Ａは一つの例示的な実施例にかかるＬＣＤパネルの構造模式図である。
【図３Ｂ】図３Ｂは一つの例示的な実施例にかかる感光素子の位置の模式図である。
【図３Ｃ】図３Ｃは一つの例示的な実施例にかかる感光素子の位置の模式図である。
【図３Ｄ】図３Ｄは一つの例示的な実施例にかかる感光素子の位置の模式図である。
【図４】図４は一つの例示的な実施例にかかる制御回路の回路模式図である。
【図５Ａ】図５Ａは一つの例示的な実施例にかかるＬＣＤパネルの構造模式図である。
【図５Ｂ】図５Ｂは一つの例示的な実施例にかかるＬＣＤパネルの構造模式図である。
【図６Ａ】図６Ａは一つの例示的な実施例にかかるＬＣＤパネルの構造模式図である。
【図６Ｂ】図６Ｂは一つの例示的な実施例にかかるＬＣＤパネルの構造模式図である。
【図６Ｃ】図６Ｃは一つの例示的な実施例にかかるＬＣＤパネルの構造模式図である。
【図７】図７は一つの例示的な実施例にかかる端末のブロック図である。
【図８】図８は一つの例示的な実施例にかかる感光制御方法の方法フローチャートである。
【発明を実施するための形態】
【００２２】
ここで例示的な実施例について詳細に説明を行うが、その例示は図面において示されている。以下の説明が図面に関する場合、特に示さない限り、異なる図面の中の同一の数字は同一又は類似の要素を表す。また、以下の例示的な実施例で説明する実施形態は、本発明と一致する全ての実施形態を代表するものではなく、これらは特許請求の範囲において詳述した、本発明の一部の態様と一致する装置及び方法の例に過ぎない。
【００２３】
本発明の実施例を紹介し説明する前に、まずＬＣＤ（Ｌｉｑｕｉｄ  Ｃｒｙｓｔａｌ  Ｄｉｓｐｌａｙ、液晶ディスプレイ）パネルを簡単に紹介する。図１はＬＣＤパネルの構造模式図を示す。
【００２４】
図１に示すように、該ＬＣＤパネルは、バックライト光源１１０、下偏光板１２０、アレイ基板１３０、液晶層１４０、上基板１５０、カラーフィルタ層１６０及び上偏光板１７０を有する。
【００２５】
ここで、下偏光板１２０はバックライト光源１１０の上層に位置し、アレイ基板１３０は下偏光板１２０の上層に位置し、液晶層１４０はアレイ基板１３０の上層に位置し、上基板１５０は液晶層１４０の上層に位置し、カラーフィルタ層１６０は上基板１５０の上層に位置し、上偏光板１７０はカラーフィルタ層１６０の上層に位置する。
【００２６】
バックライト光源１１０はＬＣＤパネルにバックライトを提供するためのものであり、バックライト光源１１０のタイプはＥＬ（Ｅｌｅｃｔｒｏ  Ｌｕｍｉｎｅｓｃｅｎｔ、電界発光）、ＣＣＦＬ（Ｃｏｌｄ  Ｃａｔｈｏｄｅ  Ｆｌｕｏｒｅｓｃｅｎｔ  Ｌａｍｐ、冷陰極蛍光ランプ）、ＬＥＤ（Ｌｉｇｈｔ  Ｅｍｉｔｔｉｎｇ  Ｄｉｏｄｅ、発光ダイオード）等タイプのうちのいずれか一つを含むが、これに限定されない。
【００２７】
下偏光板１２０と上偏光板１７０は特定方向の光線を透過させるためのもので、且つ下偏光板１２０と上偏光板１７０の光透過軸は相互に垂直する。
【００２８】
アレイ基板１３０はｍ×ｎ個のピクセル単位を含み、それぞれのピクセル単位はｋ個のサブピクセル単位を含んでおり、一般的に、それぞれのピクセル単位は３個のサブピクセル単位を含み、それぞれＲ（Ｒｅｄ、赤）サブピクセル単位、Ｇ（ＧＲＥＥＮ、緑）サブピクセル単位、Ｂ（Ｂｌｕｅ、藍）サブピクセル単位である。一部の実施例において、それぞれのピクセル単位は４個のサブピクセル単位を含み、それぞれＲ（Ｒｅｄ、赤）サブピクセル単位、Ｇ（ＧＲＥＥＮ、緑）サブピクセル単位、Ｂ（Ｂｌｕｅ、藍）サブピクセル単位及びＷ（Ｗｈｉｔｅ、白）サブピクセル単位である。即ち、Ｋの値は３又は４を選択することができる。
【００２９】
図２はアレイ基板１３０上のピクセル単位の配列形態を例示的に示す。図２に示すように、該エリアは４×４個のピクセル単位、即ち１６個のピクセル単位を含み、それぞれのピクセル単位は３個のサブピクセル単位２０を含む。それぞれのサブピクセル単位２０は、非透光性を有するＦＴＦ（Ｔｈｉｎ  Ｆｉｌｍ  Ｔｒａｎｓｉｓｔｏｒ、薄膜トランジスタ）エリア２２及び透光性を有する透明電極エリア２４を含む。即ち、バックライト光源１１０が提供するバックライトは透明電極エリア２４を透過できるが、ＴＦＴエリア２２は透過できない。
【００３０】
なお、図２はアレイ基板１３０の局部のエリアだけを示しており、アレイ基板１３０は複数の図２に示されるエリアで構成されてもよく、図２に示される配列形態は例示的及び解釈的なものに過ぎず、本発明の実施例はその他可能な配列形態を制限しない。
【００３１】
液晶層１４０における液晶分子はアレイ基板１３０におけるＴＦＴエリア２２の制御を受けて回転し、異なる回転角度で異なる光量の光を透過させ、各ピクセル単位が表示するグレイスケールを形成する。
【００３２】
カラーフィルタ層１６０は上基板１５０の上面に貼着され、カラーフィルタ層１６０はＬＣＤパネルがカラー画面を表示できるようにして、カラーフィルタ層１６０はアレイ形態で配列されたＲ、Ｇ、Ｂ三種類のカラー（赤、緑、藍）が異なるフィルタエリアを含む。フィルタエリアはアレイ基板１３０上のサブピクセル単位と一対一対応する。
【００３３】
バックライト光源１１０で生成された光線は下から上に向けて順次に下偏光板１２０、アレイ基板１３０上の透光電極エリア２４、液晶層１４０、上基板１５０、カラーフィルタ層１６０、上偏光板１７０を透過し、アレイ基板１３０で生成された電圧は液晶層１４０の液晶分子配向(Ｏｒｉｅｎｔａｔｉｏｎ）を制御し、液晶層１４０は液晶分子の配向を通じて光線の輝度を変更させることで、カラーフィルタ層におけるＲ、Ｇ、Ｂ三種類の異なるカラーに対応する異なるサブピクセル単位が異なるグレイスケールを生成するようにさせ、画像の表示を実現する。
【００３４】
アレイ基板におけるそれぞれのサブピクセル単位は非透光性を有するＴＦＴエリアと透光性を有する透明電極エリアを含むため、バックライト光源で生成された光線がアレイ基板を突き通るとき、ＴＦＴエリアに対応する光線は遮蔽され、光線がカラーフィルタ層に到達したとき、カラーフィルタにおけるＴＦＴエリアに対応する部分には黒い陰影ブロックが形成され、該黒い陰影ブロックをＢＭ（Ｂｌａｃｋ  Ｍａｔｒｉｘ、ブラックマトリクス）エリアとも言う。該ＢＭエリアの配列形態は図２におけるＴＦＴエリア２２の配列と大体同じであるか類似する。
【００３５】
図３Ａは一つの例示的な実施例にかかるＬＣＤパネルの構造模式図である。該ＬＣＤパネルは携帯電話、タブレットＰＣ、ノートパソコン等の電子デバイスのＬＣＤパネルであってもよい。図３Ａに示すように、該ＬＣＤパネルは、
バックライト光源３１０と、
バックライト光源の上層に位置するアレイ基板３２０と、
アレイ基板の上層に位置する、組み合わせて画像採集の機能実現するための複数の感光素子を含む感光素子アレイ３３０と、
感光素子アレイ３３０に接続される制御回路（図示せず）とを有する。
【００３６】
好ましくは、バックライト光源３１０とアレイ基板３２０の間には図１に示されるような下偏光板が存在し、アレイ基盤３２０の上方には図１に示されるような液晶層、上基板、カラーフィルタ、上偏光板（いずれも図示せず）が存在する。
【００３７】
上述のように、本実施例において提供するＬＣＤパネルは、感光素子アレイをＬＣＤパネルのアレイ基板の上層に配置することで、一般的に端末のフロントパネルを複数のエリアに区画すべく問題を解決し、カメラ機能をＬＣＤパネルに集積して、端末のフロントパネルにＬＣＤパネルのみ配置することで、液晶表示機能とカメラ機能を同時に有し、端末のフロントパネルの全体の一致性と全体の美感を向上させる効果を奏している。
【００３８】
図３Ａの実施例を基に提供される好ましい実施例において、感光素子アレイ３３０はａ×ｂ個の感光素子を含み、それぞれの感光素子はアレイ基板３２０における一つのサブピクセル単位と対応し、ここで、ａ≦ｋ×ｍで、ｂ≦ｎである。ＬＣＤパネルの正面図においては、サブピクセル単位の正常な発光を妨げないように、それぞれの感光素子の断面積は一つのサブピクセル単位が占める面積より小さい。画像を採集するとき、それぞれの感光素子は一つのサブピクセル単位の感光信号を採集するために使われる。
【００３９】
ここで、感光素子の数は下記のような二つであることがある。
【００４０】
１、感光素子の数がアレイ基板におけるサブピクセル単位の数に等しい。即ち、ａ＝ｋ×ｍで、ｂ＝ｎである。
【００４１】
２、感光素子の数がアレイ基板におけるサブピクセル単位の数より小さい。即ち、ａ＜ｋ×ｍで、ｂ＜ｎ、又は、ａ＜ｋ×ｍで、ｂ＝ｎ、又は、ａ＝ｋ×ｍで、ｂ＜ｎである。
【００４２】
感光素子がサブピクセル単位の正常な表示を遮蔽することを避けるために、感光素子の遮蔽によりＬＣＤパネル上に暗部（Ｓｃｏｔｏｍａ）が形成されることを防止する。好ましくは、少なくとも一つの感光素子は、それに対応するサブピクセル単位２０のＴＦＴエリア２２の上方に位置する。言い換えれば、ＴＦＴエリア２２自体が透光性を有しないため、それぞれの感光素子はいずれも対応するサブピクセル単位２０のＴＦＴエリア２２の上方に配置してもよい。しかしながら一部の実施例においては、一部の感光素子は、対応するサブピクセル単位２０の透明電極エリア２４の上方に位置する可能性もある。感光素子が透明電極エリア２４の上方に配置された場合、暗部が形成される。
【００４３】
一般的な場合において、ＬＣＤパネルの透光効果に鑑みて、感光素子いずれも、対応するサブピクセル単位２０のＴＦＴエリア２２の上方に位置する。
【００４４】
感光素子の数に従って、感光素子の位置を例示的に示すと、下記のようないくつかのパターンが存在する。
【００４５】
１、ＬＣＤパネル全体の全てのエリアに感光素子が配置され、且つ感光素子はアレイ基板におけるサブピクセル単位と一対一対応し、ここで、ａ＝ｋ×ｍで、ｂ＝ｎである。
【００４６】
即ち、それぞれのサブピクセル単位の上方のいずれにも対応する感光素子が存在する。図３Ｂに示すように、該ＬＣＤパネルは２×４個のピクセル単位、即ち８×３＝２４個のサブピクセル単位３１を含み、該ＬＣＤパネルは更に６×４個の感光素子、即ち２４個の感光素子を含み、それぞれのサブピクセル単位３１のＴＦＴエリア３２の上方のいずれにも対応して一つの感光素子３３が配置される。
【００４７】
２、ＬＣＤパネル全体の一部エリアに感光素子が配置され、且つ該一部エリアにおいて、感光素子はアレイ基板におけるサブピクセル単位と一対一対応し、ここで、ａ＜ｋ×ｍで、ｂ＜ｎ、又は、ａ＜ｋ×ｍで、ｂ＝ｎ、又は、ａ＝ｋ×ｍで、ｂ＜ｎである。
【００４８】
即ち、アレイ基板の一部エリアにおいて、それぞれのサブピクセル単位の上方のいずれにも対応する感光素子一つが存在する。図３Ｃに示すように、該ＬＣＤパネルは２×４個のピクセル単位、即ち８×３＝２４個のサブピクセル単位を含み、該ＬＣＤパネルは更に３×３＝９個の感光素子を含む。ここで、一部エリアに位置する９個のサブピクセル単位は、それぞれのサブピクセル単位のＴＦＴエリアの上方に対応して一つの感光素子３３が存在する。
【００４９】
３、ＬＣＤパネル全体の全てのエリアに感光素子が配置され、且つ感光素子はアレイ基板における一部のサブピクセル単位と対応し、該一部のサブピクセル単位は分散配列されたサブピクセル単位であり、ここで、ａ＜ｋ×ｍで、ｂ＜ｎ、又は、ａ＜ｋ×ｍで、ｂ＝ｎ、又は、ａ＝ｋ×ｍで、ｂ＜ｎである。
【００５０】
感光素子はアレイ基板における一部のサブピクセル単位と対応する。即ち、感光素子はＬＣＤパネルの全てのエリアに均等に分布し、それぞれの感光素子は一つのサブピクセル単位と対応するが、一部のサブピクセル単位は対応する感光素子が存在しないこともある。図３Ｄに示すように、該ＬＣＤパネルは３×４＝１２個のピクセル単位、即ち１２×３＝３６個のサブピクセル単位を含み、該ＬＣＤパネルは更に３×４個の感光素子、即ち１２個の感光素子３３を含む。アレイ基板の一行目を例として、左から右に向けて一つ目のピクセル単位におけるＲサブピクセル単位３５のＴＦＴエリアの上方に一つの感光素子３３が配置され、二つ目のピクセル単位におけるＧサブピクセル単位３６のＴＦＴエリアの上方に一つの感光素子３３が配置され、三つ目のピクセル単位におけるＢサブピクセル単位３７のＴＦＴエリアの上方に一つの感光素子３３が配置される。
【００５１】
本発明の実施例において、さらに感光素子を対応するサブピクセル単位のＴＦＴエリアに配置することで、それぞれのサブピクセル単位の正常な表示を妨げることなく、感光素子がＬＣＤパネルの透光性能に影響を及ぼさない効果を奏している。
【００５２】
なお、図３Ｂ、図３Ｃ、図３Ｄは感光素子の位置についていくつかの典型的なパターンを示したのに過ぎず、当業者は上述したいくつかのパターンに基づいて感光素子の位置のその他パターンを組み合わせることができ、本発明の実施例はその他可能な位置の分布方法を限定しない。
【００５３】
図４は感光素子アレイ３３０に接続される制御回路を例示的に示す。該制御回路はａ列のデータ線４１及びｂ行の制御線４２を含む。
【００５４】
それぞれの制御線４２はａ個のスイッチ４５を通じてａ列のデータ線４１に接続され、それぞれのスイッチ４５の制御端４６は制御線４２に接続され、それぞれのスイッチ４５の第１接続端４３は対応する感光素子３３に接続され、それぞれのスイッチ４５の第２接続端４４は対応するデータ線４１に接続される。
【００５５】
図４に示された制御回路が３行の制御線４２、４列のデータ線４１、３×４個の感光素子即ち１２個の感光素子を含むと仮定し、これを例として説明するが、ａとｂの数については限定しない。
【００５６】
当業者は、アレイ基板にもｋ×ｍ列のピクセルデータ線及びｎ行のピクセル制御線が含まれ、ここで、ピクセルデータ線とピクセル制御線はＴＦＴデバイスを介してサブピクセル単位に接続され、アレイ基板におけるそれぞれのサブピクセル単位の液晶の回転角度を制御することを分かることができ、アレイ基板における、ＴＦＴに接続されているピクセルデータ線とピクセル制御線により構成される制御回路は図４に示される回路と類似しており、ここでは繰り返し説明しない。
【００５７】
一般的な場合において、ＬＣＤパネルの透光効果に鑑みて、感光素子に接続される制御線はアレイ基板におけるサブピクセル単位に対応するピクセル制御線と対応され、感光素子に接続されるデータ線はアレイ基板におけるサブピクセル単位に対応するピクセルデータ線と対応される。
【００５８】
好ましくは、各列のデータ線は一列のピクセルデータ線に対応し、各列のデータ線は対応するピクセルデータ線の上方に位置する。
【００５９】
データ線の列数とピクセルデータ線の列数が等しい場合、即ちａ＝ｋ×ｍである場合、データ線とピクセルデータ線は一対一対応し、且つデータ線は対応するピクセルデータ線の上方に位置し、ＬＣＤパネルの正面図において、データ線の位置はピクセルデータ線の位置と重なる。
【００６０】
データ線の列数がピクセルデータ線の列数より小さい場合、即ちａ＜ｋ×ｍである場合、ａ列のデータ線のそれぞれは一本のピクセルデータ線と対応し、且つデータ線は対応するピクセルデータ線の上方に位置し、ＬＣＤパネルの正面図において、データ線の位置は一部のピクセルデータ線の位置と重なる。
【００６１】
好ましくは、各行の制御線それぞれは一行のピクセル制御線に対応し、各行の制御線は対応するピクセル制御線の上方に位置する。
【００６２】
制御線の列数とピクセル制御線の列数が等しい場合、即ちｂ＝ｎである場合、制御線とピクセル制御線は一対一対応し、且つ制御線は対応するピクセル制御線の上方に位置し、ＬＣＤパネルの正面図において、制御線の位置はピクセル制御線の位置と重なる。
【００６３】
制御線の列数がピクセル制御線の列数より小さい場合、即ちｂ＜ｎである場合、ｂ行の制御線のそれぞれは一本のピクセル制御線と対応し、且つ制御線は対応するピクセル制御線の上方に位置し、ＬＣＤパネルの正面図において、制御線の位置は一部のピクセル制御線の位置と重なる。
【００６４】
本実施例においては、更に感光素子アレイに接続される制御回路のデータ線と制御線をそれぞれアレイ基板におけるピクセルデータ線とピクセル制御線に対応させ、且つデータ線を対応するピクセルデータ線の上方に位置させ、制御線を対応するピクセル制御線の上方に位置させることで、ＬＣＤ画面の正常な表示を妨げなく、制御回路がＬＣＤパネルの透光性能に影響を及ぼさない効果を奏している。
【００６５】
図３Ａの実施例を基に提供される好ましい実施例において、それぞれの感光素子の感光側には更にレンズが配置され、即ち、レンズの数と感光素子の数は等しい。図５Ａに示すように、それぞれの感光素子５２の上方のいずれにも一つのレンズ５４が配置される。好ましくは、該レンズ５４は凸面構造(Ｃｏｎｖｅｘ  ｓｕｆａｃｅ  ｓｔｒｕｃｔｕｒｅ)を有するハーフレンズである。
【００６６】
好ましくは、感光素子アレイの感光側には更にレンズが配置され、即ち、感光素子アレイの上層には一つのレンズが設定され、該レンズは全ての感光素子をカバーすることができる。図５Ｂに示すように、該感光素子アレイ５６の感光側の上層には一つのレンズ５８が配置される。好ましくは、該レンズ５８は凸面構造を有するハーフレンズである。好ましくは、該レンズ５８は図１に示された上偏光板の上層に配置される。
【００６７】
本実施例においては、更に感光素子の感光側又は感光素子アレイの感光側にレンズを配置することで、感光素子の感光範囲を更に拡大させ、取得される画像がより良いという効果を奏している。
【００６８】
図３Ａの実施例を基に提供される好ましい実施例において、感光素子アレイはアレイ基板と液晶層との間に位置する。図６Ａに示すように、該ＬＣＤパネルはバックライト光源６１０Ａ、下偏光板６２０Ａ、アレイ基板６３０Ａ、感光素子アレイ６４０Ａ、液晶層６５０Ａ、上基板６６０Ａ、カラーフィルタ層６７０Ａ、上偏光板６８０Ａを有する。
【００６９】
ここで、下偏光板６２０Ａはバックライト光源６１０Ａの上層に位置し、アレイ基板６３０Ａは下偏光板６２０Ａの上層に位置し、感光素子アレイ６４０Ａはアレイ基板６３０Ａの上層に位置し、液晶層６５０Ａは感光素子アレイ６４０Ａの上層に位置し、上基板６６０Ａは液晶層６５０Ａの上層に位置し、カラーフィルタ層６７０Ａは上基板６６０Ａの上層に位置し、上偏光板６８０Ａはカラーフィルタ層６７０Ａの上層に位置する。即ち、感光素子アレイ６４０Ａはアレイ基板６３０Ａと液晶層６５０Ａとの間に位置する。
【００７０】
好ましくは、該ＬＣＤパネルのそれぞれの感光素子の感光側には更にレンズが配置される（図示せず）。
【００７１】
好ましくは、該ＬＣＤパネルの感光素子アレイの感光側には更にレンズが配置される（図示せず）。
【００７２】
図３Ａの実施例を基に提供される好ましい実施例において、感光素子アレイは液晶層とカラーフィルタ層との間に位置する。図６Ｂに示すように、該ＬＣＤパネルは、
バックライト光源６１０Ｂ、下偏光板６２０Ｂ、アレイ基板６３０Ｂ、液晶層６４０Ｂ、感光素子アレイ６５０Ｂ、上基板６６０Ｂ、カラーフィルタ層６７０Ｂ、上偏光板６８０Ｂを有する。
【００７３】
ここで、下偏光板６２０Ｂはバックライト光源６１０Ｂの上層に位置し、アレイ基板６３０Ｂは下偏光板６２０Ｂの上層に位置し、液晶層６４０Ｂはアレイ基板６３０Ｂの上層に位置し、感光素子アレイ６５０Ｂは液晶層６４０Ｂの上層に位置し、上基板６６０Ｂは感光素子アレイ６５０Ｂの上層に位置し、カラーフィルタ層６７０Ｂは上基板６６０Ｂの上層に位置し、上偏光板６８０Ｂはカラーフィルタ層６７０Ｂの上層に位置する。即ち、感光素子アレイ６５０Ｂは液晶層６４０Ｂとカラーフィルタ層６７０Ｂとの間に位置する。
【００７４】
好ましくは、該ＬＣＤパネルのそれぞれの感光素子の感光側には更にレンズが配置される（図示せず）。
【００７５】
好ましくは、該ＬＣＤパネルの感光素子アレイの感光側には更にレンズが配置される（図示せず）。
【００７６】
図３Ａの実施例を基に提供される好ましい実施例において、感光素子アレイはカラーフィルタ層と上偏光板との間に位置する。図６Ｃに示すように、該ＬＣＤパネルは、
バックライト光源６１０Ｃ、下偏光板６２０Ｃ、アレイ基板６３０Ｃ、液晶層６４０Ｃ、上基板６５０Ｃ、カラーフィルタ層６６０Ｃ、感光素子アレイ６７０Ｃ、上偏光板６８０Ｃを有する。
【００７７】
ここで、下偏光板６２０Ｃはバックライト光源６１０Ｃの上層に位置し、アレイ基板６３０Ｃは下偏光板６２０Ｃの上層に位置し、液晶層６４０Ｃはアレイ基板６３０Ｃの上層に位置し、上基板６５０Ｃは液晶層６４０Ｃの上層に位置し、カラーフィルタ層６６０Ｃは上基板６５０Ｃの上層に位置し、感光素子アレイ６７０Ｃはカラーフィルタ層６６０Ｃの上層に位置し、上偏光板６８０Ｃは感光素子アレイ６７０Ｃの上層に位置する。即ち、感光素子アレイ６７０Ｃはカラーフィルタ層６６０Ｃと上偏光板６８０Ｃとの間に位置する。
【００７８】
好ましくは、該ＬＣＤパネルのそれぞれの感光素子の感光側には更にレンズが配置される（図示せず）。
【００７９】
好ましくは、該ＬＣＤパネルの感光素子アレイの感光側には更にレンズが配置される（図示せず）。
【００８０】
図７は本発明の一つの例示的な実施例にかかる端末のブロック図である。図７に示すように、該端末７００はＬＣＤパネル７１０、感光制御ユニット７２０、メモリ７３０、プロセス部７４０、電源部７５０、オーディオ部７６０、Ｉ／Ｏインタフェース７７０を備える。
【００８１】
ＬＣＤパネル７１０は上述した実施例において提供する図３Ａ、図５Ａ、図５Ｂ、図６Ａ、図６Ｂ及び図６Ｃのいずれか一つに示されるＬＣＤパネルであってもよい。
【００８２】
感光制御ユニット７２０はＬＣＤパネル７１０における制御回路に接続され、感光制御ユニット７２０は制御回路におけるデータ線のそれぞれに接続され、感光制御ユニット７２０は更に制御回路における制御線のそれぞれに接続され、該制御回路はＬＣＤパネル７１０における感光素子アレイに接続される。
【００８３】
メモリ７３０は、各種類のデータを記憶することにより装置７００の操作を支援するように構成される。これらのデータの例は、装置７００において操作されるいずれのアプリケーションプログラム又は方法の命令、連絡対象データ、電話帳データ、メッセージ、画像、ビデオ等を含む。メモリ７３０は、いずれの種類の揮発性、不揮発性記憶デバイスまたはそれらの組み合わせによって実現されてもよく、例えば、ＳＲＡＭ（Static Random Access Memory）、ＥＥＰＲＯＭ（Electrically Erasable Programmable Read Only Memory）、ＥＰＲＯＭ（Erasable Programmable ROM）、ＰＲＯＭ（Programmable ROM）、ＲＯＭ、磁気メモリ、フラッシュメモリ、磁気ディスク、或いは光ディスクである。
【００８４】
プロセス部７４０は、一般的には装置７００の全体の操作を制御するものであり、例えば、表示、電話呼び出し、データ通信、カメラ操作、及び記録操作と関連する操作を制御する。プロセス部７４０は、一つ以上のプロセッサを含み、これらによって命令を実行することにより、上記の方法の全部、或いは一部のステップを実現するようにしてもよい。なお、プロセス部７４０は、一つ以上のモジュールを含み、これらによってプロセス部７４０と他の部材の間のインタラクションを容易にするようにしてもよい。
【００８５】
電源部７５０は、装置７００の多様な部材に電力を供給する。電源部７５０は、電源管理システム、一つ以上の電源、及び装置７００のための電力の生成、管理及び割り当てに関連する他の部材を含んでもよい。
【００８６】
オーディオ部７６０は、オーディオ信号を入出力するように構成されてもよい。例えば、オーディオ部７６０は、一つのマイク（ＭＩＣ）を含み、装置７００が、例えば呼出しモード、記録モード、及び音声認識モード等の操作モードにある場合、マイクは外部のオーディオ信号を受信することができる。受信されたオーディオ信号は、さらにメモリに記憶される。上記の実施例において、オーディオ部７６０は、オーディオ信号を出力するための一つのスピーカーをさらに含む。
【００８７】
Ｉ／Ｏインターフェイス７７０は、プロセス部７４０と周辺インターフェイスモジュールの間にインターフェイスを提供するものであり、上記周辺インターフェイスモジュールは、キーボード、クリックホイール、ボタン等であってもよい。これらのボタンは、ホームページボタン、ボリュームボタン、起動ボタン、ロッキングボタンを含んでもよいが、これらに限定されない。
【００８８】
図８は本発明の一つの例示的な実施例にかかる感光制御方法のフローチャートである。本実施例は該感光制御方法を図７に示されるような端末における感光制御ユニットに適用することを例として説明を行う。該方法は、
ステップ８０１において、ｉ行目の制御線に、データ線とターンオンするようにｉ行目の感光素子を制御するためのイネーブル信号（Ｅｎａｂｌｅ  ｓｉｇｎａｌ）を送信する。
【００８９】
イネーブル信号は、データ線とターンオンするようにｉ行目の感光素子を制御し、感光制御ユニットは制御回路のｉ行目の制御線にイネーブル信号を送信し、イネーブル信号の作用によって、ｉ行目の感光素子は制御回路の制御線とターンオンされる。
【００９０】
例えば、図４に示されるような制御回路は４列のデータ線４１、３行の制御線４２を含み、各行は４個の感光素子３３、即ち１２個の感光素子３３を含むと仮定する。感光制御ユニットが１行目の制御線４２にイネーブル信号を送信する場合、１行目の４個のスイッチ４５のいずれもターンオンされ、１行目の４個の感光素子３３はそれぞれ対応するデータ線４１とターンオンされる。
【００９１】
ステップ８０２において、データ線を通じてｉ行目の感光素子が採集した感光信号を取得する。
【００９２】
感光制御ユニットはデータ線を通じてｉ行目の感光素子が採集した感光信号を取得する。感光素子は感光信号を採集した後、データ線がターンオンされた状況で感光信号を感光制御ユニットに伝送することができる。
【００９３】
例えば、図４に示されるような制御回路は４列のデータ線４１、３行の制御線４２を含み、各行は４個の感光素子３３、即ち１２個の感光素子３３を含むと仮定する。１行目の４個の感光素子３３がデータ線４１とターンオンされた後、感光制御ユニットは４列のデータ線４１を通じて４個の感光素子３３が採集した感光信号を取得する。
【００９４】
感光制御ユニットが受信した感光信号は模擬信号であり、アナログデジタル変換器を通じて模擬信号をデジタル信号に変換させ、且つデジタル信号をメモリに記憶させる。
【００９５】
ステップ８０３において、ｉがｂより小さい場合、ｉ＝ｉ＋１にさせ、第ｉ行の制御線にイネーブル信号を送信するステップを再び実行する。
【００９６】
ｉは制御線の行の番号を代表して、ｂは制御線の行数を代表し、ｉがｂより小さい場合、ｉ＝ｉ＋１にさせ、感光制御ユニットはｉ＋１行目の制御線にイネーブル信号を送信し、ｉ＝ｂである場合は、ステップ８０４に進む。
【００９７】
例えば、図４に示される制御回路が８行の制御線を含むと仮定する場合、感光制御ユニットが３行目の制御線にイネーブル信号を送信して所定時間長後に、このときｉ＝３＜８であり、ｉ＝４にさせ、引き続き４行目の制御線にイネーブル信号を送信し、８行目の制御線にイネーブル信号を送信終了するまでこのプロセスを続ける。即ち、感光制御ユニットは所定時間間隔ごとに順次的に制御線にイネーブル信号を送信する。
【００９８】
ステップ８０４において、ｉがｂに等しい場合、ｉ＝1にさせ、ｉ行目の制御線にイネーブル信号を送信するステップを再び実行する。
【００９９】
ｉがｂに等しい場合、ｉ＝1にさせ、感光制御ユニットは１行目の制御線にイネーブル信号を送信し、即ち、感光制御ユニットが全ての制御線にイネーブル信号を一度送信したことがある場合、再び１行目の制御線から始めて、制御線にイネーブル信号を送信する。
【０１００】
ステップ８０４を実行終了して、再びステップ８０１の実行を始め、ステップ８０１からステップ８０４までを循環して実行する。即ち、ｉの初期値は１であり、最上行の制御線から始め、最下行の制御線にまで順次にイネーブル信号を送信し、現在のフレームに対応する感光信号を採集する。その後、再び最上行の制御線から始め、最下行の制御線にまで順次にイネーブル信号を送信し、次のフレームに対応する感光信号を採集する。
【０１０１】
上述のように、本実施例において提供する感光制御方法は、感光制御ユニットを通じて制御回路における制御線に逐次に絶えずイネーブル信号を送信することで、制御回路における感光素子がデータ線にターンオンされるように、感光制御ユニットはターンオンされたデータ線を介して感光信号を絶えず取得し、感光信号に対し信号処理を行い、カメラ機能をＬＣＤパネルに集積して、端末のフロントパネルにはＬＣＤパネルのみ配置するだけで、液晶表示機能とカメラ機能を同時に有し、端末のフロントパネルの全体の一致性と全体の美感を向上させる効果を奏している。
【０１０２】
当業者は明細書を検討し、ここで開示した発明を実践した後、本発明のその他の実施方案を容易に思いつくことができる。本願は本発明の全ての変更、用途又は適応性の変化を含む。これらの変更、用途又は適応性の変化は本発明の一般的な原理に基づいており、本発明に未開示の本技術分野における周知技術又は慣用技術手段を含む。明細書及び実施例は例示的なものに過ぎず、本発明の真の範囲及び主旨は以下の特許請求の範囲によって示される。
【０１０３】
本発明は、上記で説明した、また図面において示した寸分違わぬ構成に限定されず、その範囲を逸脱しない前提のもとで種々の変更及び修正を行うことができることを理解すべきである。本発明の範囲は付された特許請求の範囲によってのみ限定される。
【０１０４】
本願は出願番号が２０１５１０７８０６４８．Ｘであり、出願日が２０１５年１１月１３日である中国特許出願に基づき優先権を主張し、当該中国特許出願の全ての内容を本願に援用する。
【図１】
0006393838.tif 000002
【図２】
0006393838.tif 000003
【図３Ａ】
0006393838.tif 000004
【図３Ｂ】
0006393838.tif 000005
【図３Ｃ】
0006393838.tif 000006
【図３Ｄ】
0006393838.tif 000007
【図４】
0006393838.tif 000008
【図５Ａ】
0006393838.tif 000009
【図５Ｂ】
0006393838.tif 000010
【図６Ａ】
0006393838.tif 000011
【図６Ｂ】
0006393838.tif 000012
【図６Ｃ】
0006393838.tif 000013
【図７】
0006393838.tif 000014
【図８】
0006393838.tif 000015